(57)【要約】      （修正有）【課題】任意の形状に切断可能な合成樹脂製シートを用いることによって、簡易に洗濯物を覆うことができ、また、使用する合成樹脂製シートは、使用後には、使い捨てにすることができて、手間のかからない洗濯物干しカバーを提供する。【解決手段】任意の形状に切断可能な使い捨ての合成樹脂製シート２と、合成樹脂製シート２を物干し竿又は物干し竿受に固定するための固定手段３と、を備え、合成樹脂製シート２を固定手段３で物干し竿又は物干し竿受に固定して、物干し竿と洗濯物とを覆った。【選択図】図１
0003212065.tif 000002
【実用新案登録請求の範囲】
【請求項１】
任意の形状に切断可能な使い捨ての合成樹脂製シートと、前記合成樹脂製シートを物干し竿又は物干し竿受に固定するための固定手段と、を備え、前記合成樹脂製シートを前記固定手段で物干し竿又は物干し竿受に固定して、前記物干し竿と洗濯物とを覆ったことを特徴とする洗濯物干しカバー。
【請求項２】
任意の形状に切断可能な使い捨ての合成樹脂製シートと、前記合成樹脂製シートを小物干しハンガーに固定するための固定手段と、を備え、前記合成樹脂製シートの中央部に切込部を設け、該切込部に前記小物干しハンガーのフックを挿入し、前記固定手段で小物干しハンガーに固定して、前記小物干しハンガーと洗濯物とを覆ったことを特徴とする洗濯物干しカバー。
【請求項３】
前記合成樹脂製シートが、ポリエチレン製シート又はビニール製シートであることを特徴とする請求項１又は２に記載の洗濯物干しカバー。
【請求項４】
前記固定手段が、洗濯ばさみ又はクリップであることを特徴とする請求項１又は２又は３に記載の洗濯物干しカバー。
【考案の詳細な説明】
【技術分野】
【０００１】
本考案は、洗濯物を干す際に、洗濯した衣類等に花粉、黄砂及び粉塵等が付着するのを防止し、また、使用後において、使い捨てできる安価で、片付け不要な洗濯物干しカバーに関するものである。
【背景技術】
【０００２】
従来、洗濯物に粉塵や花粉が付着して、折角洗った洗濯物が、使用前に既に汚れてしまうという問題が多くあった。
【０００３】
そこで、屋外で天日干しをする際に、鳥の糞や木の葉等が付着したり、花粉や塵埃等の微粒子が付着するのを防止するために、洗濯物を全体に覆うカバーを掛けて固定する洗濯物干しカバーが先行技術として開示されている（文献１）。
【先行技術文献】
【特許文献】
【０００４】
【特許文献１】特開２０１２−９５８８６号公報。
【考案の概要】
【考案が解決しようとする課題】
【０００５】
前記の先行技術は、鳥の糞や木の葉等が付着したり、花粉や塵埃等の微粒子が付着するのを防止できる点で優れているが、設置する作業が大掛かりであって、しかもカバーが大きく高価であり、また、使用後、収納する際に折り畳むのに手間がかかるという問題があった。また、シートが汚れた際にも、シート自身の洗濯等に手間が掛かるという問題があった。また、シートが劣化した場合には、高価なものを買い換える必要があるので、コストが高いという問題があった。
【０００６】
そこで、上記の問題を解決するために、任意の形状に切断可能な合成樹脂製シートを用いることによって、必要に応じて簡易に洗濯物を覆うことができ、また、使用する合成樹脂製シートは安価なものでよく、使用後には、シートを使い捨てにすることができて、片付け不要で手間のかからない洗濯物干しカバーを考案して提供するものである。
【課題を解決するための手段】
【０００７】
本考案の請求項１に係る洗濯物干しカバーは、任意の形状に切断可能な使い捨ての合成樹脂製シートと、前記合成樹脂製シートを物干し竿又は物干し竿受に固定するための固定手段と、を備え、前記合成樹脂製シートを前記固定手段で物干し竿又は物干し竿受に固定して、前記物干し竿とその洗濯物とを覆ったことを特徴とする。
【０００８】
本考案の請求項２に係る洗濯物干しカバーは、任意の形状に切断可能な使い捨ての合成樹脂製シートと、前記合成樹脂製シートを小物干しハンガーに固定するための固定手段と、を備え、前記合成樹脂製シートの中央部に切込部を設け、該切込部に前記小物干しハンガーのフックを挿入し、前記固定手段で小物干しハンガーに固定して、前記小物干しハンガーとその洗濯物とを覆ったことを特徴とする洗濯物干しカバー。
【０００９】
これらの構成を採用することによって、本考案に係る洗濯物干しカバーは、任意の形状に切断した合成樹脂製シートを、物干し竿や小物干しハンガーに固定するだけなので、非常に簡単な作業で済み、手間がかからない。
【００１０】
また、本考案に係る洗濯物干しカバーは、物干し竿の形状、干すスペースの形状、小物干しカバーの形状、洗濯物の量等に合わせて、使用毎に任意の形状のシートで洗濯物を覆うことができる。よって、花粉、黄砂、塵埃、火山灰等が洗濯物に付着する量を大幅に低減できると共に、合成樹脂製シートを効率の良い大きさで使用できる。
【００１１】
また、合成樹脂製シートは、安価なので使用毎に使い捨てできるものを選ぶことができる。よって、使用後に、シートを洗濯したり、収納したりせずに済むために、使い勝手がよい。
【００１２】
また、本考案の請求項３に係る洗濯物干しカバーは、請求項１又は２に記載の洗濯物干しカバーにおいて、前記合成樹脂製シートが、ポリエチレン製シート又はビニール製シートであることを特徴とする。
【００１３】
この構成を採用することによって、本考案に係る請求項３の洗濯物干しカバーは、軽量であるので設置作業がしやすく、また、合成樹脂製シートが薄いので、簡単に任意の形状に切断できて、しかも、安価であるので使い捨てが可能である。また、合成樹脂製氏とが薄いので、太陽光が当たった場合、赤外線部分がよく透過して洗濯物の乾きを促進させることもできる。また、紫外線部分も透過するので、洗濯物を殺菌させることもできる。また、合成樹脂製シートには、合成樹脂製不織布シートを含むものとする。
【００１４】
また、本考案の請求項４に洗濯物干しカバーは、請求項１又は２又は３に記載の洗濯物干しカバーにおいて、前記固定手段が、洗濯ばさみ又はクリップであることを特徴とする。
【００１５】
この構成をとることによって、日常で使用している洗濯ばさみ等を用いて、簡単かつ安価で、シートを物干し竿や小物干しハンガーに、合成樹脂製シートを固定することができる。
【考案の効果】
【００１６】
本考案に係る請求項１から４の洗濯物干しカバーによれば、物干し竿の形状、干すスペースの形状、小物干しカバーの形状、洗濯物の量等に合わせて、使用１回毎に任意の形状のシートで洗濯物を覆うことができる。よって、花粉、黄砂、塵埃、火山灰等が洗濯物に付着する量を大幅に低減できる。また、任意の形状に切断した合成樹脂製シートを、物干し竿や小物干しハンガーに固定するだけなので、非常に簡単な作業だけなので、手間がかからない。また、使用する合成樹脂製シートは、安価なので使用毎に使い捨てできる。よって、使用後に、シートを洗濯したり、収納したりせずに済むために、使い勝手がよい。
【図面の簡単な説明】
【００１７】
【図１】図１は、本考案を実施するための形態に係る洗濯物干しカバーの模式的斜視図である。
【図２】図２は、本考案を実施するための形態に係る洗濯物干しカバーの使用状態を示す模式的斜視図である。
【図３】図３は、本考案を実施するための別の形態に係る洗濯物干しカバーの使用状態を示す模式的断面図である。
【考案を実施するための形態】
【００１８】
本考案に係る洗濯物干しカバー１は、少なくとも、合成樹脂製シート２と、該合成樹脂製シート２を物干し竿１０又は小物干しハンガー２０に固定する洗濯ばさみ３と、から構成される。
【００１９】
合成樹脂製シート２は、合成樹脂製シートの巻物等を、物干し竿１０又は小物干しハンガー２０の形状や洗濯物を干す位置等に合わせて、任意の形状に切断して使用する。合成樹脂製シート２は、物干し竿１０や小物干しハンガー２０の上部や周囲を覆うようにして使用し、花粉、黄砂、塵埃、火山灰等が洗濯物に付着するの低減できるし、小雨等が洗濯物に降りかかるのを防ぐことができる。
【００２０】
合成樹脂製シート２は、薄いポリエチレン製シート又はビニール製シートのものが、軽量で、小雨程度なら浸透せず、また、花粉、黄砂、塵埃、火山灰等が透過するのを防止でき、また、簡単に任意の形状に切断できるので好適である。また、合成樹脂製シート２は、安価であるので使い捨てにすることができる。よって、花粉、黄砂、塵埃、火山灰等が付着した合成樹脂製シートを、清掃や洗濯したり、その後の収納のために折り畳まずに、使い捨てができ、手間要らずで便利である。また、前記薄いポリエチレン製シート２又はビニル製シート２には、ポリエチレン製又はビニル製不織布を含むものとする。
【００２１】
固定手段３は、洗濯ばさみ又はクリップであり、半用品を使って手軽で簡単に、合成樹脂製シート２を、物干し竿１０又は子物干しハンガー２０に固定することができるし、同様に、簡単に外すことができる。
【００２２】
次に、本考案に係る洗濯物干しカバー１の使用方法の一例を図３に基づいて説明する。ポリエチレン製シート２を、物干し竿１０や洗濯物１００を干す位置等を考慮して所定の形状に切断し、物干し竿１０の上部を覆うようにして、洗濯ばさみ３で、ポリエチレンシート２ごと物干し竿受１１に挟持して固定する。これによって、ベランダで洗濯物１００を干す際には、洗濯物１００の上部をポリエチレン製シート２が覆って、また、前面側はベランダの壁３０が覆うことになるので、洗濯物１００に、花粉、黄砂、塵埃、火山灰等が付着しにくくなるし、また小雨がベランダ内に吹き込んできても、洗濯物１００が濡れるのを防止できるし、さらに、洗濯物１００が外部から見え難くなって、目隠しの役割を果たす。そして、上部をポリエチレン製シート２、前面をベランダの壁３０が覆っているだけなので風通しがよく、洗濯物は１００を乾燥しやすい。洗濯物１００を室内に取り込んだ後は、ポリエチレン製シート２は、非常に安価であるので、そのまま気にせずに、ゴミ箱に捨てることができるので、ポリエチレンシート２の収納等を考える必要がなく、洗濯したり畳んだりする手間を省くことができる。よって、不非常に使い勝手がよい。
【００２３】
また、本考案に係る洗濯物干しカバー１の別の形態の使用方法の一例を図２に基づいて説明する。ポリエチレン製シート２を、小物干しハンガー２０や洗濯物１００を干す位置等を考慮して所定の形状に切断し、小物干しハンガー２０の上部を覆うようにして、洗濯ばさみ３で、ポリエチレンシート２ごと小物干しカバー２０に挟持して固定する。この際に、小物干しハンガー２０のハンガー部を合成樹脂製シート２に通すことができるように、該シート２の中央部に切れ込みを入れておく。これによって、ベランダで洗濯物１００を干す際には、洗濯物１００の上部をポリエチレン製シート２が覆って、また、前面側はベランダの壁３０が覆うことになるので、洗濯物１００に、花粉、黄砂、塵埃、火山灰等が付着しにくくなるし、また小雨がベランダ内に吹き込んできても、洗濯物１００が濡れるのを防止できるし、さらに、洗濯物１００が外部から見え難くなって、目隠しの役割を果たす。そして、上部をポリエチレン製シート２、前面をベランダの壁３０が覆っているだけなので風通しがよく、洗濯物は１００を乾燥しやすい。洗濯物１００を室内に取り込んだ後は、ポリエチレン製シート２は、非常に安価であるので、そのまま気にせずに、ゴミ箱に捨てることができるので、ポリエチレンシート２の収納等を考える必要がなく、洗濯したり畳んだりする手間を省くことができる。よって、非常に使い勝手がよい。
【００２４】
本考案に係る洗濯物干しカバー１を用いれば、簡単で手軽に、洗濯物１００に付着する花粉、黄砂、塵埃、火山灰等の量を低減できる。また、薄いポリエチレン製シート２を用いているので、任意の形状に切断して、必要に応じた大きさで使用できるし、また、安価なシート２を使用するので、使用後は使い捨てにすることができて、片付けの手間がかからない。
【産業上の利用可能性】
【００２５】
洗濯物を屋外で干す分野で広く利用できる。
【符号の説明】
【００２６】
１：洗濯物干しカバー
２：合成樹脂製シート（ポリエチレン製シート）
３：固定手段（洗濯ばさみ）
１０：物干し竿
１１：物干し竿受
２０：小物干しハンガー
２０−１：小物干しハンガー洗濯ばさみ
３０：ベランダの壁
１００：洗濯物
【図１】
0003212065.tif 000003
【図２】
0003212065.tif 000004
【図３】
0003212065.tif 000005